(57)【要約】本発明は、本発明の一面によれば、端末機のタッチスクリーンを用いた漢字入力キーボードにおいて：入力指令のための中央キー１２を中心に、内部キー１４と外部キー１６上に漢字の基本点画グループと０〜１２までの数字を配置して構成される主入力部１０；一連番号を表示する番号部２１に対応した一側に部首を出力する部首部２３を配置し、他側に文字を出力する文字部２５を配置して構成される選択部２０から構成され、前記主入力部１０と選択部２０によりすべての漢字の入力が行われることを特徴とする。本発明の他の一面によれば、漢字が作られたときに使用された原理に基づいてキーが作成され基本点画が配列されるので、直観性と利便性が同時に実現されて携帯電話をはじめとする各種端末機のユーザーが容易かつ便利に使用することができる。
2019500668.tif 000002
【特許請求の範囲】
【請求項１】
端末機のタッチスクリーンを用いた漢字入力キーボードにおいて：入力指令のために、中央キー１２を中心に、内部キー１４と外部キー１６上に漢字の基本点画グループと数字を配置して構成される主入力部１０；一連番号を表示する番号部２１に対応した一側に部首を出力する部首部２３を配置し、他側に文字を出力する文字部２５を配置して構成される選択部２０；を含んでなり、前記主入力部１０において４個の内部キー１４と８個の外部キー１６から構成された１２個の基本点画のグループに
【数１】
2019500668.tif 000026
を配置することを特徴とする端末機のタッチスクリーンを用いた漢字入力キーボード。
【請求項２】
前記主入力部１０の中央キー１２に０を配置し、内部・外部キー上の１２個のキーに１〜１２を配置することを特徴とする、請求項１に記載の端末機のタッチスクリーンを用いた漢字入力キーボード。
【請求項３】
数字入力のために０が中央キー１２に配列され、１、２、３が内部キー１４と外部キー１６のうち、第２列第１行、そして第２列第３行にそれぞれ２個ずつ分散配置され、４〜９は残りの６個の外部キー１６に分散配置されて数字入力も可能であることを特徴とする、請求項２に記載の漢字入力キーボード。
【請求項４】
前記選択部２０の部首部２３は、内部キー１４と外部キー１６の基本点画のグループから選択された画を含む部首を表示し、文字部２５は、基本点画または部首部２３から選択された部首を含む文字を表示することを特徴とする、請求項１に記載の端末機のタッチスクリーンを用いた漢字入力キーボード。
【請求項５】
請求項１に記載のキーボードを用いて、端末機のタッチスクリーンに漢字を入力する方法において：前記主入力部１０で基本点画を入力すると、その画が含まれた文字がすぐに選択部２０の文字部２５に表示される第１のモードと、前記主入力部１０で基本点画を入力すると、その画が含まれた部首が選択部２０の部首部２３に表示され、これら表示された部首の中から目的の部首を選択するか、部首を選択した後、次の画を順次打てば、その部首が含まれた文字が文字部２５に表示される第２のモードと、前記中央キー１２と外部キー（もしくは内部キー）上の１つのキーとの組み合わせにより、単語や定型句が登録され、これを呼びだして既存キーボードや別のウィンドウに設けられた選択部に表示される第３のモードと、を備え、前記選択部に表示された状態で、入力したい文字や単語、そして定型句を直接押したり、主入力部で指令された方式により、当該文字や単語、そして定型句がそれぞれ入力されることを特徴とする端末機のタッチスクリーンを用いた漢字入力方法。
【請求項６】
基本点画を入力するにおいて、前記主入力部１０の各キーに配列された画の中で単独もしくは重複配列されたキーの最初に配列された画は、前記各キーのワンプッシュで入力され、重複配列されたキーの２番目に配列された画は、すべての漢字の画筆順上、該当キーの最初に配列された画と組み合わせようとするキーの最初に配列された画が連続的に表示されないキーとの組み合わせで、前記各キーに配列された画がそれぞれ入力されることを特徴とする、請求項５に記載の端末機のタッチスクリーンを用いた漢字入力方法。
【請求項７】
前記第１のモードと第２のモードにおいて、部首や文字を選択するときに、中央キー１２を部首や文字選択キーに使用することを特徴とする、請求項５に記載の端末機のタッチスクリーンを用いた漢字入力方法。
【請求項８】
前記第３のモードは、ユーザーが入力した単語や定型句だけでなく、予め設定された単語や定型句、ユーザーの使用頻度が高い単語や定型句のうちの少なくとも一つをメモリに搭載し、第１のモードあるいは第２のモードで進行され、キーボードの選択部２０や別のウィンドウに設けられた選択部に表示された一連の単語や定型句のうちから直接選択するか、主入力部１０から指令された方式により番号を押すことにより入力されることを特徴とする、請求項５に記載の端末機のタッチスクリーンを用いた漢字入力方法。
【発明の詳細な説明】
【技術分野】
【０００１】
本発明は、携帯用端末機などの漢字入力に関し、より具体的には、携帯端末機での漢字の製字原理である陰陽五行原理に沿って配列されて入力される入力キーである。したがって小さな携帯用機器に合わせてキー（ｋｅｙ）の個数は減らす反面、そのサイズを大きくし、より少ないタッチ数と短い運指距離を確保することにより、ユーザーが漢字と数字の入力を迅速かつ便利にする端末機のタッチスクリーンを用いた漢字と数字の入力キーボード及びその入力方法に関する。
【背景技術】
【０００２】
一般的に、キーパッドタイプの携帯電話やスマートフォンなどのモバイル用デジタル携帯機器で漢字を入力する方法は、主にそれを発音することを表音文字で打って変換する方法を採用している。
前記の方法を具体的に説明すると、主に中国や日本では漢字の発音を英語のアルファベット（あるいはローマ字）で、台湾では漢字の画をもとに作成された注音符号で、韓国ではハングルで打った後に、これを漢字に変換する。
中国でコンピュータや携帯電話のキーボードで漢文を入力するときによく使用されるピンイン（英語のアルファベット使用）方式は、同じ発音に多くの文字が存在するため速度も遅いだけでなく、自己の文字を正しく活用できない大きな欠点がある。日本では、自分たちの文字である仮名（かな）や英語のアルファベットを使用して打った後に変換する方法を使用するが、使用する漢字の発音がそれぞれである場合が多い。例えば「鈴木」という名前はスズキ、スズギ、スズノキ、ススヘキ、ヌズキなど１４種類に発音される。したがって、これを発音で探して入力することは容易ではない。さらに、仮名（かな）を使用する場合には、少ないキーからなるキーボードの４６個に及ぶ文字を配列してみると、入力時に打数が増え、英語のアルファベットを使用することも、中国のピンインのように、自己の文字を使用できないという欠点がある。
中国で携帯用キーボードの場合、最も多く使用されるピンイン入力方式は、漢字の発音をローマ字を使用して打てば同じ発音になった複数の漢字が配列され、その中から目的の一つの漢字を選択する方式である。しかし、この方法は、ピンインを知らない人は使うことができず、知っているとしても、すべての文字のピンインを正確に知る必要がある。ローマ字で打ったスペルが間違っていれば目的の文字を見つけることができない。また、漢字は一つの発音に該当する文字が複数である。例えばｚｈｏｎｇのような場合に、この発音に該当する漢字が１７個にもなる。その多くの文字の中からいちいち自分が目的とする漢字を探さなければならないため、手間がかかり遅いという問題がある。
中国の場合、漢字の部首を組み合わせてそのまま入力することができる五筆字型キーボードがあるが、１つのキーに複数の画や部首が羅列されているので、覚えて熟達するのに多くの時間と努力が必要である。しかし、キーボードの大きさに制限があるほとんどの携帯用機器では、これさえも容易ではない。携帯電話にスライドタイプで、別途にＱＷＥＲＴＹ配列型のキーボードを作製する場合もあるが、そうなると電話機のサイズや重さが大きくなる欠点がある。
スマートフォンでピンインを使用する入力方式を採用する場合、大きく９キー方式とＱＷＥＲＴＹ配列方式がある。一般的な９キー方式は、一つのキーに３〜４個のスペルが配列されるため、打数が多く増えるという欠点があり、ＱＷＥＲＴＹ配列型キーボードを入れると、各キーのサイズが小さくなるため、誤入力の割合が高くなるという欠点がある。
グーグル中国語入力機のようにピンイン予測と単語予測機能を使用して、このような欠点を改良したものがあるが、複数のピンインと単語が予測されたり、入力されたキーと画面上に表示される予測単語が１：１で一致しないため、常に画面を見守る必要があるという欠点がある。
その他の多くの携帯用ピンイン入力機の場合、頻繁に使用する単語の場合、その漢字の発音の最初の子音だけを入力することができる方式を採用しているが、使用頻度が高くない単語の場合は不可能であるため、速くかつ便利な入力に限界を見せている。
漢字を使用するすべての国でこのように直接漢字を打てずに変換方式を使うことは、漢字がどのような原理によって作られたのかについての理解不足から来るものであり、これは結局漢字が入力しにくい文字として残るようになる決定的な原因となった。
本出願人による韓国登録特許公報第１４４９３７５号は、天符経の思想をもとにした三才型陰陽五行キーに４８個の画を１２個のキーに重複配列した後、直接漢字の画を使用して入力するが、漢字を構成する画の組み合わせにおいて、ユーザーが混乱を感じることがあり、数字１、２、３で表現される３つの三才キーがキーボードに追加されることによりサイズの小さい携帯用機器で多くのスペースを占めるだけでなく、キーボードが大きいので、両手の親指だけで入力するには運指距離が長くなる欠点がある。
これと関連する先行技術文献として、韓国公開特許公報第２０１０−０１３５３４０号は、タッチされた位置だけでなく、タッチした後に動いた（Ｔｏｕｃｈ−ａｎｄ−Ｍｏｖｅ）方向と軌跡を結合したが、根本的に入力速度を上げるには限界が見え、韓国登録特許公報第０６６２５５３号は、部首の使用を排除して、２８個の基本点画を組み合わせる方式であり使用頻度が低く慣れていない関係で、漢字の入力が非常に不便である。
【発明の概要】
【発明が解決しようとする課題】
【０００３】
前記のような従来の問題点を改善するための本発明の目的は、漢字の製字原理に即して便宜性を追求しながらも、一目で認識可能な直観性に優れた端末機のタッチスクリーンを用いた漢字と数字の入力キーボード及びその入力方法を提供することにある。
本発明の他の目的は、英語のアルファベットやハングルの字母のように漢字を構成する最も基本的な最小限の画を抽出し、このように抽出された画を、各画の象形的な意味に合うように配列されるのみならず、漢字を構成している各画間の相互関係の中で表れる特性を利用してキーボードを構成しているキーの個数を減らすと同時に、各キーの有効性を高めることにより小型の携帯用機器でも、複雑な漢字が容易かつ便利に入力されるのみならず、最終的には、漢字がどのように作られたかについての理解をもとに、より容易に漢字を学ぶことができるよう助力する端末機のタッチスクリーンを用いた漢字と数字の入力キーボード及びその入力方法を提供することにある。
【課題を解決するための手段】
【０００４】
本発明は、前記目的を達成するために、本発明の一面によれば、端末機のタッチスクリーンを用いた漢字入力キーボードにおいて：入力指令のために、中央キー１２を中心に、４個の内部キー１４と８個の外部キー１６から構成される１２個のキーに２２個の漢字の入力のための基本点画を配置し、中央キーをはじめとする各キーに数字の０〜１２までの数字を配置して構成される主入力部１０；一連番号を表示する番号部２１に対応した一側に部首を出力する部首部２３を配置し、他側に文字を出力する文字部２５を配置して構成される選択部２０；を含んでなることを特徴とする。
本発明の詳細な構成によれば、前記主入力部１０の中央キーに０を配置し、部首や文字の選択のために選択部２０の番号部２１に示された一連番号の数字に合わせて、残りのキーに１から１２までの数字を弾力的に配置することを特徴とする。
本発明の詳細な構成によれば、数字を入力するために、４個の内部キー１４と第２列第１行、そして第２列第３行の外部キーに数字１、２、３をそれぞれ２個ずつ分散して配列し、４〜９までの数字は残りの６個の外部キー上に分散配列されることを特徴とする。
【０００５】
【表１】
2019500668.tif 000003
【０００６】
本発明の詳細な構成によれば、前記選択部２０の部首部２３は、内部キー１４と外部キー１６の基本点画から選択された画を含む部首を表示し、文字部２５は基本点画または部首部２３から選択された部首を含む文字を表示することを特徴とする。
本発明の他の一面によれば、前記のキーボードを用いて、端末機のタッチスクリーンに漢字を入力する方法において：前記主入力部１０で基本点画を入力すると、文字がすぐ選択部２０の文字部２５に表示される第１のモードと、前記主入力部で基本点画を入力すると、選択部２０の部首部２３に部首が表示され、これら表示された部首の中から目的の部首を選択すると、その部首が含まれた文字が文字部２５に表示される第２のモードと、前記中央キー１２と外部キー１６あるいは内部キー１４のいずれか１つのキーとの組み合わせにより、単語や定型句が登録され、これら登録された単語や定型句を再び呼び出し、既存キーボードや別のウィンドウに設けられた選択部に表示される第３のモードと、を備え、前記選択部に表示された状態で、主入力部から指令された方式で、該当文字や単語、あるいは定型句がそれぞれ入力されることを特徴とする。
本発明の詳細な構成によれば、前記基本点画を入力するにおいて、前記各キーに単独もしくは重複配列されたキー上の最初に配列された画は、前記各キーのワンプッシュで入力され、重複配列されたキー上の二番目に配列された画は、漢字を構成する画間の相関関係を利用して、前記各キーとそのキーを除く他の１つのキーとの組み合わせで入力されることを特徴とする。
本発明の詳細な構成によれば、前記第１のモードは、文字入力の最も基本的な方式として主入力部１０上の画を利用して漢字を構成している画を筆順により順番に入力をすると、その画を含む文字が選択部２０の文字部２５に表示されることを特徴とする。
本発明の詳細な構成によれば、前記第２のモードは、選択部２０の部首部２３に表示された一連の部首の中から選択が行われると、すぐにその部首が含まれた文字が表示されたり、入力したい文字がないときは、再度主入力部１０で部首の次の画を順番に押すと、その部首が含まれた一連の文字を選択部の文字部２５に表示することを特徴とする。
本発明の詳細な構成によれば、前記第３のモードは、ユーザーが直接登録した単語や定型句だけでなく、予め設定された単語や定型句、ユーザーの使用頻度が高い単語や定型句のうち少なくとも１つをメモリに搭載し、既存キーボードあるいは別途新しいウィンドウに設けられた選択部に表示することを特徴とする。
前記説明した３つの方法で選択部に配列された状態で入力したい文字や単語、あるいは定型句を直接タッチするか、主入力部で指令された方式で、１〜１２までの数字を使用して、最終入力されることを特徴とする。
本発明の詳細な構成によれば、前記第１のモードと第２のモードで、文字や部首を選択するとき、中央キー１２は文字または部首選択キーとしての役割をすることを特徴とする。
既存キーボードに配列された数字は、文字を入力するためのものであるが、同時に三才を意味する数字の１、２、３が五行の過程での役割を勘案して、すべての数字が内部・外部キーに再配置されることで、数値入力のためのキーボードとなることを特徴とする。
一方、これに先立ち、本明細書及び特許請求の範囲で使用される用語や単語は通常的又は辞典的な意味に限定して解釈されてはならず、発明者は、彼自身の発明を最も最善の方法で説明するために、用語の概念を適切に定義することができるという原則に立脚して、本発明の技術的思想に符合する意味と概念として解釈されるべきである。したがって、本明細書に記載された実施例と図面に図示された構成は、本発明の最も望ましい一実施例に過ぎないのであり、本発明の技術的思想をすべて代弁するものではないため、本出願時点においてこれらを代替することができる様々な均等物と変形例があり得ることを理解しなければならない。
【発明の効果】
【０００７】
以上のように、本発明によれば、漢字の製字原理である陰陽五行の原理に基づいてすべての漢字の入力に必要な最小限の基本点画が抽出され、これらの基本点画をその画が内包している思想に基づいて、各キーに配列されるので、直観性と利便性が同時に実現され、ユーザーが容易かつ便利に使用することができる。
また、すべての漢字の画構成において、各画の間の特殊な相互関係を利用して、これらが配列されたキーの相互有機的な組み合わせによりすべての画を効率的に入力することができるようにすることで少ない数のキーで構成されたキーボード上でもコンピュータのＱＷＥＲＴＹ配列のキーボードに次ぐ速度で、便利で迅速に漢字を入力することができる。
また、漢字は複雑で学び難いという一般的な認識とは異なり、本キーボードに示すように、漢字を構成している画の単純さを利用して、これを文字として使用するすべての人が意味の表意文字としての漢字に容易に慣れて、地球村のメンバー間の疎通ツールとしての使用が可能である。
【図面の簡単な説明】
【０００８】
【図１】本発明による漢字入力キーボードの全体的構成を示す例示図。
【図２】本発明による漢字入力キーボードの具体的構成を示す例示図。
【図３】本発明による数字入力キーボードの具体的構成を示す例示図。
【発明を実施するための形態】
【０００９】
以下、添付された図面に基づいて本発明の実施例を詳細に説明すると、次の通りである。
本発明の一面によれば、携帯用端末機のタッチスクリーンを用いた漢字入力キーボードに関して提案する。端末機は、相対的に入力及び表示領域が小さい携帯用機器を対象とするが、必ずしもこれに限定されず、将来のコンピュータ入力用小型キーボードやキオスク（ｋｉｏｓｋ）のような他の機器を含んでもよい。どの機器にもタッチスクリーンで入出力するためにマイクロプロセッサ、メモリ、入出力インターフェースを搭載している。そこで、本発明のキーボードは、メモリに所定のアルゴリズムに基づいて、タッチスクリーンに表示されると同時に、タッチスクリーンにより入力（指令）も行われる。
まず、図１を参照すると、本発明による端末機の漢字キーボードは、主入力部１０と選択部２０の２つの領域に区分される。
本発明の主入力部１０は、入力指令のために中央キー１２を中心に、内部キー１４と外部キー１６上に、漢字の基本点画と選択部の一連番号に合わせて０から１２までの数字を配置して構成される。
本発明の選択部２０は、配列しようとする部首や文字の数に応じて、一連番号で表示される番号部２１に対応した一側に部首を出力する部首部２３を配置し、他側に文字を出力する文字部２５を配置して構成される。
本発明の主入力部１０は、図示されたように、全体的に３列３行の構造を有するが、第２列２行の中にある中央キー１２周辺の４方向に４個のキーから構成される内部キー１４と、これら中央の５個のキーを中心に、各コーナーの４個の柱の間の上下左右が互いに陰陽関係を形成する８個の外部キー１６を合わせて主キーボードを陰陽五行キーと称する。
すなわち、本発明は、陰陽五行思想を利用して作られた陰陽五行キーとして中央キー１２、内部キー１４、そして外部キー１６を含み、計１３個のキーから構成される。１個の中央キー１２を中心に、４個の内部キー１４が外側に配置され、内部キー１４の外側に８個の外部キー１６が配置される。
本発明の詳細な構成によれば、前記主入力部１０の中央キーに０を配置し、残りのキーに陰陽五行中の１２地支を表す１から１２までの数字を選択部２０の一連番号に合わせて弾力的に配置することを特徴とする。もちろん、このような数字の配置は文字を入力するための一つの手段であって、様々な形態があってもよい。
【００１０】
【表２】
2019500668.tif 000004
【００１１】
【表３】
2019500668.tif 000005
【００１２】
【表４】
2019500668.tif 000006
【００１３】
【表５】
2019500668.tif 000007
【００１４】
【表６】
2019500668.tif 000008
【００１５】
【表７】
2019500668.tif 000009
【００１６】
これにより、四象を示してくれる代表画４個と陰陽五行の過程での変化を表す画１８個を合わせて合計２２個の画ですべての漢字を表現することができるので、これを本キーボードを構成する基本点画とする。
各キーに配列された画間の相互関係と、当該キーに配列される理由を説明すると、次の通りである。
図１にある外部キー１６の各コーナーにある４本の柱は、上下左右に互いに陰陽関係を形成しており、このような関係は、漢字の画の配列構成と互いに密接な関係を持っている。その中で特に上下関係は、完璧な陰陽関係であり左右２つの軸からなっている。それで、この上下関係の中で、漢字の主な意味が形成されると見ることができる。
図面上の第１行第１列と第３列に配置された画、そして第３行第１列と第３列に配置された画は、互いに水平関係を成している。一方、第１列第１行と第３行に配置された画、第３列第１行と第３行に配置された画は、互いに垂直関係にある。
【００１７】
【表８】
2019500668.tif 000010
【００１８】
【表９】
2019500668.tif 000011
【００１９】
【表１０】
2019500668.tif 000012
【００２０】
【表１１】
2019500668.tif 000013
【００２１】
【表１２】
2019500668.tif 000014
【００２２】
このように、各画を相互に関連のあるもの同士１つのキーに重複配列する理由は、まず漢字を理解するのに役立つだけでなく、画間の相関関係を利用して重複配列されたキーで２番目に配列された画を入力すると、一種の機能キーとして使用するためである。
【００２３】
【表１３】
2019500668.tif 000015
【００２４】
このように１２個の内外部キーから構成される文字キーに配列された画は、全部で１２個のグループ、計２２個で構成されており、陰陽五行の理知に基づいて配列されたこれらのうち重要な２０個は自然と入力時の親指の近くのキーに配列され、残りの２つは運指距離が遠い第２列第１行と第３行に配列される。
前記の画配列のように、宇宙生成の変化の中心には、基本的に４つの四象があり、これら４つの象の間の疎通により新たなものが生まれるようになる。これらの間の疎通過程には順序があり、その関係の中には、互いに相性が存在するため、これらの順序と相性を理解すれば、各キーの活用度を高めることができる。
【００２５】
【表１４】
2019500668.tif 000016
【００２６】
【表１５】
2019500668.tif 000017
【００２７】
【表１６】
2019500668.tif 000018
【００２８】
【表１７】
2019500668.tif 000019
【００２９】
このように画間で互いに連続的に会うことができない現象が生じるのは、陰陽五行思想の本質的なものであり、漢字の画構成がある順序によってなされるからである。つまり過程があり、この過程は、まさに万物が生成変化するそれと一致するため、これにより、漢字の本質的な意味を理解することができるようになる。
本発明の他の一面によれば、前記のキーボードを用いて、携帯用端末機のタッチスクリーンに漢字の画を入力する方法において；１つのキーに単独で配置された画と２つが重複して配列されているキーの最初に配列された画は、該当キーを一度押せばよく、２つが重複して配列されているキーの２番目に配列された画は、前述した各画間に筆順上、連続的に来ることができない特徴を利用して、該当キー以外の他のキーとの組み合わせで入力される。
他のキーとの組み合わせで入力をするとき、組み合わせ可能な条件は、前記の説明のようにすべての漢字の画の構成において組み合わせる２つのキー上の最初に配列された画が連続的に出てこないようにすべきという点である。
【００３０】
【表１８】
2019500668.tif 000020
【００３１】
【表１９】
2019500668.tif 000021
【００３２】
このような組み合わせは、多くの漢字の場合をすべて確認しなくても理知上、可能であることがわかる。以上の組み合わせの例は、運指距離と両手を使用する入力を勘案した代表的な組み合わせであるだけで、前述の規則に反しなければどんなキーとも組み合わせが可能である。
前記の例のように、各キーの最初に配列された画が連続的に来ない２つの画を組み合わせると、簡単な入力アルゴリズムで入力が可能な反面、連続的に来る画が配列されたキーとの組み合わせで入力するようになると、入力アルゴリズムが複雑になる欠点があるため、ユーザーの立場から入力が不便になりうる。
【００３３】
【表２０】
2019500668.tif 000022
【００３４】
このように、他のキーとの組み合わせで重複配列された画を入力する主な理由は、組み合わせのための別のキーを備えていなくても主入力部１０上の１３個のキーのみで小さな携帯用機器で、複雑で多くの漢字をすばやくかつ便利に入力することができるからである。
前記の方法で各画を入力すると、その画が入った部首や文字が部首部２３と文字部２５に、最大１２個まで羅列され、それらのいずれか１つを直接押すか、選択キーである中央キー１２と部首部２３や文字部２５の入力しようとする部首や文字の番号部２１上の一連番号に該当する主入力部１０上の数字を連続して押すか、あるいは主入力部上の１から１２までの数字の中から入力したい文字に該当する一連番号を選択されるまで一定時間押し続けることにより文字が入力される３つの方法をすべて使用することができる。
前記第３の方法で文字が選択されるまで一定時間押し続けなければならない理由は、数字が主入力部上で、画と共に重複配列されているので、画の入力と文字の選択において差別化をしなければならないからである。
部首や文字の選択時に選択部２０に近い上段の画を入力したときは、選択部の部首や文字を直接押すのが便利であり、下段の画を入力した時には、中央キー１２と主入力部上の数字を使用するか、文字選択の場合のように単に選択されるまで、該当数字を一定時間押し続けることで入力することが便利である。このように３つの方法を選択的に使用することにより入力がより容易かつ便利になる。
本発明の詳細な構成によれば、前記選択部２０の部首部２３は、内部キー１４と外部キー１６の基本点画のグループから選択される画を含む部首を表示し、文字部２５は、各キーに配列された基本点画や部首部２３から選択された部首を含む文字を表示することを特徴とする。
本発明に記載された２２個の画は、陰陽五行の理知に基づいて、その重要性と入力の利便性、そして直観性を考慮して配置されており、これにより、より迅速かつ容易に、漢字入力を行うことができるよう部首部２３と文字部２５を選択部２０上に置く。
部首部２３には、各キーに配列された画と直接的または間接的に関連する部首の携帯用機器のサイズに合わせて、最大１２個まで配列するようになり、これら部首の中から選択により、複雑な漢字の入力をより容易かつ迅速に行うことができる。この時、多く使用される部首は、その部首を構成している第一画を押した後に選択することができ、そうでない部首は、第二もしくは第三までの画の組み合わせで見つけることができる。一方、部首を多く抱えている画は、高速入力のために、任意の様々な画の組み合わせで部首を探すことができようにすることもできる。
また、前記の方法と共に部首選択キーでありながら、同時に文字選択キーである中央キー１２を連続的に押して、該当画を含むそれぞれ異なる部首を連続的に配列することもできる。これにより、１２個までの部首を配列することができる部首部２３の場合、３回の中央キータッチで、合計３６個の部首を配列することができるので、速い部首選択が可能である。
発明の詳細な構成によれば、部首選択キーでありながら、同時に文字選択キーの役割をする中央キー１２は、部首部２３に選択する部首があれば部首選択キーの役割をし、選択する部首がなければ文字選択キーの役割をする。この時、文字選択キーとして、中央キーを打った後にはシステム的にすぐに主キーボード上に数字を押して文字を選択することができるため、一定時間押している必要がなく、状況によっては高速入力が可能である。
部首を選択する時や文字を選択するとき、とりあえず中央キー１２を連続的に打てば、同じ画を含んでいる他の部首や文字が順次配列される。すなわち、中央キー１２を部首を選択するために一度打った後で連続的に打てば、その画が含まれた多くの部首を順番に列挙することができる。同じ方法で文字を選択するために、中央キーを打った後、続いて打てば、既に打たれた画や部首を含む多くの文字を順番に配列することができるようになる。入力したい漢字を構成している画を一つ一つ打ちながら目的の漢字を入力するか、または中央キーを連続的に打って目的の漢字を入力するかは、入力したい漢字によってそれぞれ決定することができる。
選択部上の部首部２３や文字部２５に配列される部首や文字の数は、携帯用機器の大きさに応じて決定される。例えば、小さな機器の場合は８個、中間サイズの機器には１０個、大きな機器の場合には最大１２個まで配列をすることができる。
本発明の他の一面によれば、前記のキーボードを利用して、端末機のタッチスクリーンに漢字を入力する方法について提案する。
前記主入力部で基本点画を入力すると、文字がすぐ選択部２０の文字部２５に表示される第１のモードと、前記主入力部で基本点画を入力すると、選択部２０の部首部２３に部首が表示され、これら表示された部首の中から目的の部首を選択した後にその部首が含まれた文字が文字部に表示される第２のモードと、前記中央キー１２と内外部キー上の他の機能と重複しないキーとの組み合わせにより、単語や定型句が登録され、これを再び呼び出して、キーボード上の選択部２０や別の新しいウィンドウに設けられた選択部に表示される第３のモードと、を備え、前記選択部に表示された状態で、主入力部から指令された方式で番号を押すか、選択部上で直接選択することにより、文字や単語、あるいは定型句がそれぞれ入力されることを特徴とする。
画を入力すると、完成形の文字が羅列される文字部２５には、画に該当するキーを押しながら、その画が入っている関連文字が羅列されるので、その文字を構成している画がどのようなものかを自然に分かるようになる。そして、本キーボードに配列された基本点画２２個の象形的意味だけを知っていれば、各文字を構成している画を打ちながら、その文字がどのような意味のものであるかを自然に理解することができ、その結果、漢字を理解することがはるかに容易になる。
前記のように漢字を入力するだけでなく、知らない漢字がある場合には、文字ウィンドウに配列された一つの漢字を指で一定時間押していると、オンライン漢字辞典の該当の漢字についての情報が表示されることを特徴とする。
本発明の詳細な構成によれば、前記第２のモードは、選択部２０の部首部２３に示された一連の部首の中から選択が行われた後に、その部首を含む文字がすぐに文字部２５に表示されるか、目的の文字がすぐに配列されない場合には、主入力部１０で部首の次の画を順次押すと、該当する部首が含まれた一連の文字が選択部２０の文字部２５に表示されること特徴とする。
部首を選択する方法は、部首部２３の部首を直接押すか、選択キーを使用している中央キー１２と主入力部１０上の数字との組み合わせでする。このように部首を選択して入力すると、速い入力が可能になる。
本キーボードには、一般的に携帯用機器の大きさに制約があるため、キーボードが占めるスペースを減らすために、打たれた画を表示するディスプレイがない。もちろん画を打つたびに変わる文字を介して間接的に認識できるが、完全ではないため、ユーザーがいくつの画を打ったのかを認識できるようにするために、一つの画を打つたびに選択部２０上の番号部２１の数字の色が変わるようすることで、ユーザーが現在打った画数を知ることができるようにする。もちろんサイズが大きい機器には、打たれた画を表示するディスプレイを別途に入れることもできる。
また、サイズが小さい携帯用機器では、基本的なキーボードの構成においてキーボードの上段の選択部２０に文字部２５のみが展開されるようにし、部首選択キーを押せばそのとき文字部が部首部に変わり、部首を選択すると、再び文字部に変わるようにすることもできる。
【００３５】
【表２１】
2019500668.tif 000023
【００３６】
この時、部首選択キーを押したのにすぐに「地」の字が配列されなければ、部首の次の画を順番に押しながら入力することができる。もしその部首を含む文字数が多くない場合には、文字選択キーとしての中央キー１２を続けて押しながら、該当部首を含む文字を順番に配列することもできるので、この２つの方法を選択的に使用することができる。
もしある文字を第１のモードや第２のモードで高速入力を行うことができない場合には、第３のモードである本キーボードの単語／定型句による入力機能を使用すると、迅速な入力が可能である。どのような方法を使用して入力をするかは、入力の経験を通して、ユーザーが決定しなければならない。
本発明の詳細な構成によれば、前記第３のモードは、ユーザーが直接登録した単語や定型句だけでなく、予め設定された単語や定型句、ユーザーの使用頻度が高い単語や定型句のうちの少なくとも一つをメモリに搭載し、第１のモードまたは第２のモードで行われ、本キーボードの選択部２０や別のウィンドウに設けられた選択部に表示された一連の単語や定型句のうち目的の単語や定型句を直接押すか、主入力部１０から指令された方式に応じて番号を押すことにより入力がなされることを特徴とする。
ある一定のテーマについて大量の入力作業を行うときは、そのテーマに関連する単語や定型句を頻繁に入力するようになり、この時は頻繁に使用する単語や定型句を予め登録しておけば、容易かつ迅速に入力することができる。第３のモードで予め設定された単語や定型句は、アプリ（ａｐｐｌｉｃａｔｉｏｎ）プロバイダがメモリに入力したことを意味する。ユーザー自身が目的とする単語や定型句をメモリに入力することもできる。より進歩したアプリ（ａｐｐ）では、ユーザーの入力内容を分析して、使用頻度の高いものを単語や定型句としてメモリに保存することもできる。
【００３７】
【表２２】
2019500668.tif 000024
【００３８】
【表２３】
2019500668.tif 000025
【００３９】
今後、本発明の漢字入力のためのキーボードは、地球上の唯一の表意文字である漢字の利点を生かし、他の言語圏の人が別途に外国語を勉強しなくても文字を介して、基本的に互いに疎通することができるため、将来の地球村人類が互いに容易に疎通することができる環境を作るにおいて中枢的な役割を果たすことができるだろう。
本発明は、記載された実施例に限定されるものではなく、本発明の思想及び範囲を逸脱することなく様々に修正及び変形することができることは、この技術の分野における通常の知識を有する者にとって自明である。したがって、そのような変形例または修正例は、本発明の特許請求の範囲に属するというべきである。
【図１】
2019500668.tif 000027
【図２】
2019500668.tif 000028
【図３】
2019500668.tif 000029
【国際調査報告】
2019500668.tif 000030
2019500668.tif 000031
2019500668.tif 000032
2019500668.tif 000033